(57)【要約】      （修正有）【課題】魚をかけ魚を取り込むまでの間に、魚が引く力や走る方向を急に変えても、片手で持つ竿の竿尻部を手首又は肘に継続的に維持し、竿を支える事が出来る竿尻ガイドを提供する。【解決手段】半円状ガイド２およびガイド取り付け座３で構成される竿尻ガイド１を竿本体５の竿尻部４に固定し、手首又は肘に予め竿尻ガイド１の半円状ガイド２を起こして当てて置くか、魚をかけた際に半円状ガイド２を起こし手首又は肘に当てる。また腕に竿尻ガイド１を固定した場合は、前述同様に半円状ガイド２を起こし、手に持った竿本体５の竿尻部４を予め半円状ガイド２に当てて置くか、魚をかけた際に半円状ガイド２を起こし竿尻部４を当てて使用する等を行い、手に持ったリールシート部７のＰ支点から半円状ガイド２のＦ２点迄のテコが作用する長さを確保することで魚が引く力に対処できる。【選択図】図５
2018164449.tif 000002
【特許請求の範囲】
【請求項１】
釣り竿の竿尻部又は竿を持つ腕に取り付ける事により、魚が引く力や走る方向を変えても、釣り竿の竿尻部を竿を持つ腕の手首又は肘に継続的に維持し、テコの作用を活用しながら片手で竿を支える事が出来る竿尻ガイド。
【発明の詳細な説明】
【技術分野】
【０００１】  本発明は、釣り竿本体の竿尻部又は釣り竿を持つ片方の腕に取り付けることにより竿尻部を手首又は肘に継続的に維持でき、釣り竿にかかる魚の引く力をテコの作用を活用しながら片手で竿を支える事が出来る竿尻ガイドに関するものである。
【背景技術】
【０００２】  通常釣り人は片手で竿を持って釣りをするが、魚をかけた際、魚の重さや引く力が大きいと感じた場合は、他方の手で竿尻部を持って支えるか竿尻部を肘に充て、竿を持つ手と充てた肘で作られるテコの作用を利用し竿を支えながらその力に対処する。
また釣った魚の取り込みの際、釣り人は片手で竿を支えながら、他方の手でリールを巻き、タモで掬うなどの作業に入るが、その間に置いて、魚が引く力と走る方向を変え、竿を持つ手と肘で支えていた竿の竿尻部が外された場合には、魚の引く力に耐えるため、急遽他方の手で竿尻部を握り両手で竿を支える事となる。【０００３】  またお年寄りや特に女子及び年少者にあっては、竿を支える手首の力が弱く、また腕が大人よりも細い事により、肘に充てていた竿尻部を外される事も多く、小さな魚が引く力にも負け、両手で釣り竿を支えなければならなかった。【０００４】  従来の竿の竿尻部は、持つことを目的として竿尻カバーが施され製作されているが、竿尻部を手首又は肘に継続的に維持する目的では製作されていない。
【発明の概要】
【発明が解決しようとする課題】
【０００５】  魚をかけ魚を取り込むまでの間に、魚が引く力や走る方向を急に変えても、片手で持つ竿の竿尻部を手首又は肘に継続的に維持し、テコの作用を活用しながら、片手で竿を支える事が出来る竿尻ガイドを提供する。【０００６】  お年寄りや女子及び年少者にあっては、竿を持つ手の手首又は肘に竿本体の竿尻部を予め維持でき、テコの作用を利用しながら竿を支える事が出来る竿尻ガイドを提供する。
【課題を解決するための手段】
【０００７】  請求項１で提供する竿尻ガイドは、竿本体の竿尻部に固定するものにあっては、竿尻ガイド部に手首又は肘を維持できるものを、竿を持つ腕側に固定するものにあっては、使用している竿の竿尻部を竿尻ガイドに維持できるものとし、竿を持った手の支点から離れた位置にもう一つの支点となる竿尻ガイドを配置する事で、テコの作用を活用できるものとする。
【発明の効果】
【０００８】  請求項１の竿尻ガイドを装着することで、使用している竿の竿尻部が手首又は肘から外されること無く継続的に維持され、テコの作用を活用しながら片手で竿を支える事が出来る。
【図面の簡単な説明】
【０００９】
【図１】  竿尻ガイド平面図である。
【図２】  竿尻ガイド側面図（半円状ガイド収納時）である。
【図３】  竿尻ガイド側面図（半円状ガイドを９０度起こした時）である。
【図４】  竿に働くテコの作用を記した図である。
【図５】  竿尻ガイドを固定（竿本体の竿尻部に固定）した図である。
【発明を実施するための形態】
【００１０】  以下、発明の実施をするための形態について説明する。
請求項１で供給する竿尻ガイドは、魚が引く力や走る方向を変えても、竿尻部を手首又は肘部分に継続的に維持し、テコの作用を活用しながら片手で竿を支える事が出来るものとする。
【００１１】  竿尻ガイドは、折り畳み可能な半円状ガイドと取り付け座で構成され、半円状ガイドは、手首や肘又は竿尻を固定し易い半円状の形状を有し取り付け座に取り付けられている。取り付け座は、竿本体の竿尻部又は腕に固定する座部であり、これを使用する竿の竿尻部又は竿を持つ腕の部分に固定バンドで固定する。
半円状ガイドは、収納時は取り付け座と平行に収納されているが、魚をかけた際、その魚の引く力が大きくまたは左右に走り廻るなど、竿尻部を手首又は肘に維持し、テコの作用を活用しなければならない必要を感じた際は、半円状ガイドを取り付け座に対し９０度程度の角度をもって起こし、その半円状ガイドに手首もしくは肘又は使用している竿の竿尻部を当てて使用する。
取り付け座には、半円状ガイドが９０度以上倒れないよう、半円状ガイド受け部を設けてある。また半円状ガイドのガイド部は、滑りにより手首もしくは肘又は竿尻が外れないようシリコンゴムなどで一部分覆うと良い。
【００１２】  竿尻ガイドを竿本体の竿尻部に固定するものにあっては、リールを取り付けるリールシートとは反対面に位置するよう竿尻ガイドを固定し、腕側に固定するものにあっては、手に持った竿本体の竿尻部が半円状ガイドに容易に収まるよう配置し、固定バンドで固定するか着用する衣服の肘部に貼り付ける。
どちらも竿尻部が手首や肘から外されないようにするものであるが、前者は手首又は肘が半円状ガイドに維持できる状態を、後者は竿本体の竿尻部が半円状ガイドに維持できる状態となり、いずれも竿を支える手の支点から離れた位置にもう一つの支点となる竿尻ガイドを配置する事でテコの作用を活用できるものとなる。
【００１３】  お年寄りや女子及び年少者にあっては、予め半円状ガイドを起こし手首又は肘を当て使用しても良い。
【００１４】  前述の竿尻ガイド同様に、竿尻部に半円状に類似する形状のゴムやシリコンなどで製作された板を固定して使用する事も出来る。その他竿尻部と釣り人が着用する衣服の肘の部分に互いにすべりが生じないマジックテープ等を取り付け使用する事で同様の効果が得られる。
【００１５】  新しく釣り竿を製作する際には、手首又は肘に竿尻部を継続的に維持する目的として、竿尻部に半円状に類似したガイドもしくは同様の形状を有した竿尻カバーをリールシートとは反対面に予め装備して製作する事もでき、また既存の竿においては、竿尻部に同様の竿尻カバーを差し込んで使用する事も出来る。
【符号の説明】
【００１６】  １  竿尻ガイド
２  半円状ガイド
３  ガイド取り付け座
４  竿尻部
５  竿本体
６  リール
７  リールシート
８  半円状ガイド受け部
９  固定バンド
【図１】
2018164449.tif 000003
【図２】
2018164449.tif 000004
【図３】
2018164449.tif 000005
【図４】
2018164449.tif 000006
【図５】
2018164449.tif 000007
【図６】
2018164449.tif 000008
【図７】
2018164449.tif 000009
【手続補正書】
【提出日】平成29年6月9日(2017.6.9)
【手続補正２】
【補正対象書類名】明細書
【補正対象項目名】０００９
【補正方法】変更
【補正の内容】
【０００９】
【図１】  竿尻ガイド平面図である。
【図２】  竿尻ガイド側面図（半円状ガイド収納時）である。
【図３】  竿尻ガイド側面図（半円状ガイドを９０度起こした時）である。
【図４】  竿に働くテコの作用を記した図である。
【図５】  竿尻ガイドを固定（竿本体の竿尻部に固定）した図である。
【図６】  参考写真（竿尻ガイド試作品を竿本体竿尻に取り付けた状況）である。
【図７】  参考写真（竿尻ガイドの半円状ガイドを肘に当てた状況図）である。